(57)【特許請求の範囲】
【請求項１】
長手方向寸法および幅寸法に沿って延在する使い捨て吸収製品（１０、９０、１１０）であって、吸収製品は：
バックシート（４８）；
前記バックシートを覆うトップシート（４４）；
吸収製品の着用者によって分泌される液体を吸収し、且つ保持するための前記バックシートと前記トップシートの間に配置された吸収性コア（５０）；および
前記バックシート（４８）に隣接し、かつ吸収製品の着用者の第１の脚の回りに適合するように適応された吸収製品の第１の輪郭を持つ脚開口部（２４）を画成する第１の多方向伸縮性材料層（６９、６９ａ）、
を備え、
前記吸収性コア（５０）と前記バックシート（４８）の間に配置され、且つ前記吸収性コアから前記第１の多方向伸縮性材料層への液体の流れを防止するように適応された非透過性バリア層（５８）をさらに含み、
前記第１の多方向伸縮性材料層（６９、６９ａ）は前記バックシート（４８）の下に位置することを特徴とする、使い捨て吸収製品（１０、９０、１１０）。
【請求項２】
前記バックシート（４８）に隣接し、かつ吸収製品の着用者の第２の脚の回りに適合するように適応された吸収製品の第２の輪郭を持つ脚開口部（２６）を画成する第２の多方向伸縮性材料層（６９ｂ）をさらに含む、請求項１に記載の使い捨て可能な吸収製品（９０）。
【請求項３】
前記第１の多方向伸縮性材料層（６９）が吸収製品の着用者の第２の脚の回りに適合するように適応された吸収製品の第２の輪郭を持つ脚開口部（２６）をさらに画成する、請求項１に記載の使い捨て可能な吸収製品（１０、１１０）。
【請求項４】
前記バックシート（４８）が吸収製品の長手方向寸法に互いに間隔を置いて配置された２つのバックシート部分（４８ａ、４８ｂ）を含み、前記第１の多方向伸縮性材料層（６９）が前記２枚のバックシート部分（４８ａ、４８ｂ）の間に長手方向にわたる、請求項１〜３の何れか一項に記載の使い捨て可能な吸収製品（１０、９０、１１０）。
【請求項５】
吸収製品のそれぞれの長手方向末端（１４、１２）に配置され、吸収製品の着用者のウエストの周りに適合するように適応された第１および第２の弾性のバンド（７６、７８）をさらに含む、請求項１〜４のいずれか一項に記載の使い捨て可能な吸収製品（１０、９０、１１０）。
【請求項６】
前記バックシート（４８）が第１および第２の長手方向末端（１４、１２）を有し、それぞれが前記第１および第２の弾性のバンド（７６、７８）を囲い込むようにそれ自体に折り畳まれる、請求項５に記載の使い捨て可能な吸収製品（１０、９０、１１０）。
【請求項７】
前記バリア層（５８）に固定され、かつ前記吸収性コア（５０）の長さより短い長さを有する、吸収製品の幅寸法に互いに間隔を置いて配置された一対の弾性のストランド（７３）からさらになる、請求項１〜６の何れか一項に記載の使い捨て可能な吸収製品（１０、９０、１１０）。
【請求項８】
前記弾性のストランド（７３）が前記第１の多方向伸縮性材料層（６９）と接触しない、請求項７に記載の使い捨て可能な吸収製品（１０、９０、１１０）。
【請求項９】
前記トップシート（４４）が吸収製品の全長よりも長手方向に短い、請求項１に記載の使い捨て可能な吸収製品（１０、９０、１１０）。
【請求項１０】
前記弾性のストランド（７３）が前記使い捨て可能な吸収製品の股領域に位置する、請求項７〜９の何れか一項に記載の使い捨て可能な吸収製品（１０、９０、１１０）。
【請求項１１】
前記吸収性コア（５０）が一対の腕部（１２２）および一対の脚（１２４）を含み、前記腕および脚部が前記吸収性コア（５０）の中心部分（１２０）から横方向に突出する、請求項１〜１０の何れか一項に記載の使い捨て可能な吸収製品（１０、９０、１１０）。
【請求項１２】
前記トップシート（４４）およびバックシート（４８）は、使用の間に着用者の体に面するように適応された前記使い捨て吸収製品の内部表面（４０）および使用の間に着用者から外方へ向くように適応されたその外部表面（４２）を共になって画成し、
前記内部表面は、総表面領域を有し、および、
前記吸収性コア（５０）は、前記総表面領域の５０％以上の表面領域を占める、
請求項１〜１１の何れか一項に記載の使い捨て可能な吸収製品（１０、９０、１１０）。
【発明の詳細な説明】
【技術分野】
【０００１】
関連出願の相互参照
本出願は、一般に、本明細書と同日付で出願された「吸収性コアおよびこのような吸収性コアをもつ使い捨て可能な吸収製品」の表題の米国特許出願第１３／３３６，６８４号明細書（代理人参照番号Ｐ１１４１９ＵＳ００；代理人書類番号１０１８７９８−００６３０）に関し、その全ての内容は、本明細書における参照により本明細書に明示的に援用される。
【０００２】
本発明は、一般に吸収製品に、より詳細には、液体身体分泌物の封じ込めおよび吸収のためのヒトによって着用される使い捨て吸収製品に関する。
【背景技術】
【０００３】
体液の吸収のための使い捨て可能な吸収製品は、異なる型、デザインおよび寸法で利用できる。たとえば、トレーニングパンツ、乳児おむつ、成人おむつおよび失禁ガードは、尿および排泄物の封じ込めのためにデザインされた製品である。尿および／または女性着用者によって分泌される月経を含み、並びに吸収するようにデザインされている女性衛生製品（たとえば、重い、および軽い失禁パッド、パンチライナー）などのその他のタイプの使い捨て吸収性物品がある。このタイプの公知の製品は、典型的には着用者の体に面するトップシート、着用者によって身につけられる衣服に面するバックシートおよびトップシートとバックシートとの間に挟まれた吸収性コアを含む。
【０００４】
上記したタイプの従来の製品において、吸収性コアは、矩形の形状または着用者によって分泌される液体の十分な吸収を提供するように選択されるいくつかのその他の形状を有してもよい。しかし、これらの製品、特に尿を含むことが意図されたものの多くは、分泌された液体を漏らす傾向があり、着用者および／または介護者に対して不快感をまねく。たとえば、着用者は、眠る間に彼（女）が横向きに横たわるので、尿の漏出が観察され、着用者の脚を囲む、または鼠径部に隣接する製品の領域において著しい。また、いくつかの製品では、着用者の後ろのウエスト領域の横で漏れることが観察されている。
【０００５】
したがって、従来の使い捨て吸収製品のこれら、およびその他の欠点に対処する、このような吸収性コアを含む使い捨て吸収製品のパッケージおよび使い捨て吸収製品を提供することが望まれる。
【先行技術文献】
【特許文献】
【０００６】
【特許文献１】米国特許出願第１３／３３６，６８４号明細書
【発明の概要】
【課題を解決するための手段】
【０００７】
１つの態様において、長手方向寸法および幅寸法に沿って延在する使い捨て吸収製品が提供される。吸収製品は、バックシート、バックシートを覆うトップシートおよび吸収製品の着用者によって分泌される液体を吸収し、且つ保持するためのバックシートとトップシートの間に配置された吸収性コアを有する。また、吸収製品は、吸収製品の着用者の第１の脚の回りに適合するように適応された吸収製品の第１の輪郭を持つ脚開口部を画成する、バックシートに隣接する、第１の多方向伸縮性材料層を有する。
【０００８】
加えて、吸収製品は、吸収製品の着用者の第２の脚の回りに適合するように適応された吸収製品の第２の輪郭を持つ脚開口部を画成する、バックシートに隣接する、第２の多方向伸縮性材料層を有してもよい。あるいは、第１の多方向伸縮性材料層は、吸収製品の着用者の第２の脚の回りに適合するように適応された吸収製品の第２の輪郭を持つ脚開口部を、また画成してもよい。具体的態様において、バックシートは、吸収製品の長手方向寸法に互いに間隔を置いて配置された２つのバックシート部分を含み、第１の多方向伸縮性材料層は、２つのバックシート部分の間に長手方向にわたっている。加えて、またはあるいは、吸収製品は、吸収製品のそれぞれの長手方向末端にて配置され、かつ吸収製品の着用者のウエスト周りに適合するように適応された、第１および第２の弾性のバンドを含んでいてもよい。その上、これらの態様において、バックシートは、第１および第２の長手方向末端を有してもよく、それぞれが、第１および第２の弾性のバンドを囲い込むようにそれ自体に折りたたまれる。
【０００９】
また、吸収製品は、吸収性コアとバックシートの間に配置され、且つ吸収性コアから第１の多方向伸縮性材料層への液体の流れを防止するように適応された、バリア層を有してもよい。その他の具体的態様において、使い捨て吸収製品は、バリア層に固定された、吸収製品の幅寸法に互いに間隔を置いて配置され、そのそれぞれが吸収性コアの長さよりも短い長さを有する、一対の弾性のストランドを有する。これらの態様において、弾性のストランドは、第１の多方向伸縮性材料層と接触していなくてもよい。加えて、またはあるいは、トップシートは、吸収製品の全長よりも長手方向に短くてもよい。
【００１０】
その他の具体的態様において、吸収製品の周囲長は、第１の輪郭を持つ脚開口部、第１の輪郭を持つ脚開口部の反対側の第２の輪郭を持つ脚開口部および一対の長手方向末端、並びに第１および第２の輪郭を持つ脚開口部と長手方向末端との間の横縁を含む。これらの態様において、横縁の対に適合することは、互いに不可欠であり、これによりパンツタイプの使い捨て吸収製品を画成する。加えて、またはあるいは、吸収性コアは、一対の腕部および一対の脚部を含んでいてもよく、腕および脚部は、吸収性コアの中心部分から横方向に突出する。加えて、吸収性コアは、一対の腕および脚部の中間に位置し、かつ吸収性コアの残りから長手方向に突出する末端部分を含んでいてもよい。
【００１１】
その他の態様において、吸収製品は、使用時に着用者の正面に面するように適応された正面ウエスト部分および使用時に着用者の背面に面するように適応された背面ウエスト部分を含む。これらの態様において、吸収性コアの脚部は、正面ウエスト部分に位置し、吸収性コアの末端部分は、背面ウエスト部分に位置する。脚部分のそれぞれは、短軸に沿って延在してもよく、短軸のそれぞれは、吸収性コアの縦軸に関して曲げられる。加えて、またはあるいは、トップシートおよびバックシートは、使用の間に着用者の体に面するように適応された使い捨て吸収製品の内部表面および使用の間に着用者から外方へ向くように適応された外部表面と共になって画成してもよく、内部表面は、総表面領域を有し、吸収性コアは、内部表面の総表面領域の約５０％以上の表面領域を占める。
【００１２】
もう一つの態様において、長手方向寸法および幅寸法に沿って延在する使い捨て吸収製品が提供される。吸収製品は、バックシート、バックシートを覆うトップシートおよび吸収製品の着用者によって分泌される液体を吸収し、且つ保持するためのバックシートとトップシートとの間に配置された吸収性コアを有する。また、吸収製品は、吸収製品の着用者のそれぞれの脚の回りに適合するように適応された吸収製品の第１および第２の輪郭を持つ脚開口部を画成する、バックシートに隣接する、多方向伸縮性材料層を有する。バリア層は、吸収性コアとバックシートとの間に配置され、吸収性コアから多方向伸縮性材料層への液体の流れを防止するように適応される。
【００１３】
さらにもう一つの態様において、吸収製品の着用者によって分泌される液体を管理するために適応された使い捨て吸収製品を製造するための方法が提供される。方法は、第１および第２の基体層を提供するステップ、および第１および第２の基体層を互いに関して覆い、これにより着用者の体に面するように適応された吸収製品の内部表面および着用者の体から外方へ向くように適応された吸収製品の外部表面をそれぞれ画成するステップを含む。吸収性コアは、吸収製品の着用者によって分泌される液体を吸収し、および保持するために第１および第２の基体層の間に配置される。方法は、第２の基体層に関して第１の多方向伸縮性材料層に固定して、これにより吸収製品の着用者の第１の脚の回りに適合するように適応された吸収製品の第１の輪郭を持つ脚開口部を画成するステップを含む。
【００１４】
具体的態様において、また第２の基体層に関して第１の多方向伸縮性材料に固定することにより、吸収製品の着用者の第２の脚の回りに適合するように適応された吸収製品の第２の輪郭を持つ脚開口部を画成する。あるいは、方法は、第２の基体層に関して第２の多方向伸縮性材料層に固定して、これにより吸収製品の第２の輪郭を持つ脚開口部を画成するステップを含む。特定の態様において、第２の基体層に関して第１の多方向伸縮性材料層を固定するステップは、第１の多方向伸縮性材料層と第２の基体層とを互いに粘着して結合するステップを含む。
【００１５】
一定の態様において、第１および第２の基体層は、使用の間に着用者の体に面するように適応された前記使い捨て吸収製品の内部表面および使用の間に着用者から外方へ向くように適応されたその外部表面を共になって画成し、内部表面は、総表面領域を有する。これらの態様において、方法は、第１および第２の基体層の間に配置されたときに、吸収性コアが内部表面の総表面領域の約５０％以上の表面領域を占めるように吸収性コアを形成するステップを含む。
【００１６】
さらに、もう一つの態様において、吸収製品の着用者によって分泌される液体を管理するために適応された使い捨て吸収製品を製造するための方法が提供される。方法は、第１および第２の基体層を提供するステップ、および第１および第２の基体層を互いに関して覆い、これにより着用者の体に面するように適応された吸収製品の内部表面および着用者の体から外方へ向くように適応された吸収製品の外部表面を画成する。コアは、吸収製品の着用者によって分泌される液体を吸収し、および保持するために、第１および第２の基体層の間に配置され、および第１および第２の多方向伸縮性材料層は、互いに関して固定され、これにより吸収製品の着用者の第１の脚の回りに適合するように適応された吸収製品の第１の輪郭を持つ脚開口部を画成する。
【図面の簡単な説明】
【００１７】
本発明の目的および特徴は、添付の図面と組み合わせて考慮した以下の詳細な説明からより容易に明らかになるだろう
【図１】本発明の１つの態様に従った使い捨て吸収製品の斜視図である。
【図２】図１の使い捨て吸収製品の上面図である。
【図３】図２の線３−３に沿った断面分解図である。
【図４Ａ】図１−３の使い捨て吸収製品の分解図である。
【図４Ｂ】本発明のもう一つの態様に従った使い捨て吸収製品を図示する図４Ａに類似の図である。
【図４Ｃ】本発明さらにもう一つの態様に従った使い捨て吸収製品を図示する図４Ａに類似の図である。
【図５】図１−３、図４Ａ、４Ｂまたは４Ｃの使い捨て吸収製品の吸収性コア形成する部分の斜視図である。
【図６】図５の吸収性コアの上面図である。
【図７】影で、その吸収性コアを形成する部分の使い捨て吸収製品のその他の例示的な構造的なエレメントを図示する図５の吸収性コアのもう一つの斜視図である。
【図８】本発明のもう一つの態様に従った使い捨て吸収製品の斜視図である。
【発明を実施するための形態】
【００１８】
図面に、およびより詳細には図１、２、３に、４Ａ、４Ｂおよび４Ｃに関して、用便しつけ用のパンツ(training pant)または成人サイズ使い捨てパンツなどの、使い捨てパンツ１０の形態の例示的な使い捨て吸収製品を図示してある。これらおよびその他の図は、使い捨てパンツを参照するが、本明細書における記述および添付の図面は、その他のタイプの使い捨て吸収製品に適用でき、したがって、使い捨て可能なパンツに限定されないことが意図される。例示目的のために、パンツ１０を、図１においてその最終的な、すぐ使用できる状態で示してあり、図２において開状態を示してある。パンツ１０は、着用者の体に面する内部１０ａ（図示せず）および着用者の体から外方を向く外部１０ｂを有する。ウエスト開口部１０ｃ、並びに一対の脚開口部１０ｄは、連帯して、当業者に公知の方法で、着用者の体に対するパンツ１０の装着を可能にする。
【００１９】
特に図２を参照し、パンツ１０は、直交軸１０ｘに沿って横方向に（すなわち、幅寸法に）および縦軸１０ｙに沿って長手方向に延在する。パンツ１０の周囲長は、一対の長手方向末端１２、１４、縦軸１０ｙの一方の側の第１の対の横縁１６、１８、および縦軸１０ｙの反対側の第２の対の横縁２０、２２を含む。また、パンツ１０の周囲長は、横縁１６、１８の間に延在する第１の輪郭を持つ脚開口部２４、横縁２０、２２の間に延在する第２の輪郭を持つ脚開口部２６を含む。本明細書に使用される、「輪郭を持つ(contoured)」という用語は、一般に着用者のそれぞれの脚の周りに適合するように設計された、脚開口部２４、２６の一般に湾曲した形状をいう。この点に関して、本明細書において図の例示的な脚開口部２４、２６にあるように、輪郭を持つ脚開口部は、単一の連続的な曲線を有する、またはその他の部分的にもしくは完全に湾曲した形状を有することが意図される。完成した、すなわち、すぐ使用できる状態のパンツ１０において、図１に示した閉じられたパンツ１０を画成するために、対面する横縁１６、１８は互いに一体化され、対面する横縁２０、２２も同様にされる。より具体的には、横縁１６、１８の接合部は、パンツ１０の第１の側部継目３０を画成し、および横縁２０、２２の接合部は、第２の側部継目３２を画成する。
【００２０】
特に図３をここで参照し、パンツ１０は、そのすぐ使用できる状態で（図１）パンツ１０の内部１０ａおよび外部１０ｂをそれぞれ画成する内部表面４０および外部表面４２を有する。トップシート４４は、浸透性で親水性の不織布で作製されており、少なくとも内部表面４０の一部を画成する。図３の例示的な態様においてより具体的には、トップシート４４は、パンツ１０の全長Ｌより長手方向に短い基体層である。しかし、トップシート４４がその代わりに実質的に、パンツ１０の全長Ｌと同じ長さを有してもよく、またはさらに長さＬよりも長くてもよく（すなわち、一方または両方の長手方向末端にて折り畳まれる）、かつそれでも本開示の範囲内に入ることが意図される。適したトップシート材料は、ノースカロライナ（米国）のシャーロットのＰｏｌｙｍｅｒ  Ｇｒｏｕｐ社（「ＰＧＩ」）から市販のスパンボンドポリプロピレン（「ＳＢＰＰ」）不織布である。
【００２１】
外側カバーまたはバックシート４８は、疎水性材料で作製されており、少なくとも外部表面４２の一部を画成する。図３の例示的な態様においてより具体的には、バックシート４８は、２つのバックシート部分４８ａ、４８ｂで構成される基体層であり、それらは長手方向に互いに間隔を置いて配置される。しかし、バックシート４８は、代わりに２つ以上の別々の構造を有するよりはむしろ、単一の構造でもよく、それでも本開示の範囲内に入るこが意図される。バックシート４８のために適した材料は、イスラエルのテルアヴィヴの、Ａｖｇｏｌ  Ｎｏｎｗｏｖｅｎ  ＩｎｄｕｓｔｒｉｅｓからＳ−Ｓ７０−２６の名称で市販のスパンボンド／メルトブロー／スパンボンド（「ＳＭＳ」）ポリプロピレン不織布などの、通気性のある、高坪量不織布でありである。本明細書に使用される、「通気性のある」という用語は、ＷＳＰ７０．１試験法（Ｗｏｒｌｄｗｉｄｅ  Ｓｔｒａｔｅｇｉｃ  Ｐａｒｔｎｅｒｓによる）下で少なくとも約２８００ｌ／ｍ２／秒の空気透過性を有する不織布をいう。また、本明細書に使用される、「高坪量(high basis weight)」という用語は、少なくとも約１０ｇ／ｍ２の坪量を有する不織布をいう。
【００２２】
また、パンツ１０は、毛羽立ちパルプもしくは毛羽立ちパルプまたはいくつかのその他の天然もしくは合成の液体管理材料の組み合わせでできている吸収性コア５０および高吸収性材料（「ＳＡＰ」）などの液体貯蔵材料またはいくつかのその他の天然もしくは合成の液体貯蔵材料を含む。吸収性コア５０は、パンツ１０の同じ縦軸１０ｙに沿って延在するようにパンツ１０において位置が定められ、トップシート４４とバックシート４８との間のスペースに位置し、パンツ１０の着用者によって分泌される体液、たとえば尿を吸収、分配および／または貯蔵するように配置される。加えて、その他の吸収成分が存在してもよい。図３において図示した態様において、たとえば、パンツ１０は、獲得層５２および風成層５４を含み、これらは両方とも、吸収性コア５０への液体を獲得し、分配し、および／または誘導する際の助けとなる）。適した吸収成分構造は、ドイツのファルケンハーゲンのＧｌａｔｆｅｌｔｅｒ  Ｆａｌｋｅｎｈａｇｅｎ  ＧｍｂＨから市販の獲得層／風成層複合体である。
【００２３】
また、パンツ１０がさらなる吸収成分を含まないか、または図３の態様に関して本明細書に記述した２つの成分よりもむしろ１つのこのような成分のみを含むその他の態様も想定される。任意のさらなる吸収成分のそれぞれの組成、形状および寸法が適切に選択される。図２および４Ａ−４Ｃに見られるように、たとえば例示的な吸収成分５２、５４のそれぞれは、一般に矩形であり、および吸収性コア５０の対応する幅および長さ寸法よりも短い範囲で横方向に、および長手方向に延在する。当業者であれば、例示的な成分５２、５４の形状および寸法は、着用者によって分泌される液体、特に尿の管理において吸収性コア５０の吸収機能とこれらが協調する限り、図２および４Ａ−４Ｃに示したものと異なることができることを容易に認識するだろう、
【００２４】
引き続いて図２、３および４Ａ−４Ｃに関し、パンツ１０は、また、たとえばポリエチレンまたはポリプロピレンで作製され、およびバックシート４８と吸収性コア５０との間に位置された、不透過性バリア層５８を含む。使用の際に、バリア層５８は、吸収性コア５０からバックシート４８へ液体が流れることを防止し、これは、一定の態様において、布様の不織布材料などの透過物質で作製されていてもよい。本明細書において記述した異なる成分は、当業者に公知の方法で互いに関して固定される。図３は、特に、パンツ１０を構成する種々の層を固定する適切な選択されたパターンに適用される、種々の接着成分を図示する。たとえば、接着成分６０は、トップシート４４を捕捉層５２に、およびバリア層５８に固定する。接着成分６２および６３は、バリア層５８に風成層５４を吸収性コア５０および吸収性コア５０にそれぞれ固定する。接着成分６４は、バックシート部分４８ａ、バックシート４８を構成する４８ｂに、およびパンツ１０の外部表面４２の部分を画成するバックシート４８に隣接する多方向伸縮性材料層６９に、バリア層５８を固定する。加えて、接着成分７２は、多方向伸縮性材料層６９の長手方向末端をバックシート部分４８ａ、４８ｂに固定する。多方向伸縮性材料層６９のその他の側面は、より完全に以下に説明してある。
【００２５】
上記の記述および図は、互いにパンツ１０の異なる構造的な成分（たとえば、基体層）を固定する接着成分に言及するが、これらは限定であるというよりはむしろ例示的であることが意図される。より具体的には、パンツ１０の構造的成分の２つ以上を、その代わりにまたは加えて、たとえば超音波結合、ＣＰＷ結合または熱結合によって機械的に互いに固定してもよいことが想定される。
【００２６】
図２、４Ａおよび４Ｂの例示的な態様において、パンツ１０、９０のそれぞれは、すぐ使用できる状態にあるときに（図１）、パンツ１０、９０を股領域において長手方向に縮めてひだを寄せることができるように、互いに横方向に間隔を置いて配置され、かつ事前に延在した状態でバリア層５８の正面に対して固定された一対の弾性のストランド(strand)７３を含む。弾性のストランド７３は、バリア層５８の正面に固定されることによって、多方向伸縮性材料層６９と接触しない。弾性のストランド７３は、長手方向に相対的に短い距離を延在し、且つパンツ１０、９０の股領域においてのみ実質的に位置される。より具体的には、弾性のストランド７３は、パンツ１０、９０の全長Ｌより短く（図３）、更に吸収コア５０の長さＭより短い（図３）。もう一つの側面において、図２において最も分かるように、弾性のストランド７３は、吸収性コア５０の中心の股部の外側に位置される。弾性のストランド７３の相対的寸法および位置は、着用者に対するパンツ１０、９０のフィット性および快適さを増し、一方でまた、股領域における漏出の予防も増強する。適したタイプの弾性のストランドは、カンザス州（米国）ウィチタのＩｎｖｉｓｔａ  Ｎｏｒｔｈ  Ａｍｅｒｉｃａから市販のＬｙｃｒａ（登録商標）である。
【００２７】
また、パンツ１０は、パンツ１０の長手方向の両端部に位置され、かつそれぞれ正面および背面ウエスト部分領域を画成する、一対の弾性バンド７６、７８を含む。弾性バンド７６、７８のそれぞれは、着用者が露出しないように。より具体的には、弾性バンド７６、７８のそれぞれは、バックシート部分４８ａ、４８ｂの長手方向の両端部にてそれ自体によって折り畳まれた部分によってそれぞれ包まれる。弾性バンド４８ａ、４８ｂは、天然もしくは合成のゴムまたはいくつかのその他の天然もしくは合成の材料で作製してもよい。弾性バンドのための例示的な材料は、バーモント（米国）ブラットレボロのＦｕｌｆｌｅｘ登録商標）Ｅｌａｓｔｏｍｅｒｉｃｓ  Ｗｏｒｌｄｗｉｄｅから市販されている。想定される弾性バンド４８ａ、４８ｂは、一般に平らな構造であり、下着の様な外見であるパンツ１０を提供する適切に選択された幅を有する。その点に関し、弾性バンド４８ａ、４８ｂは、たとえばおよび限定されないが、約１０ｍｍから約５０ｍｍまでの範囲の幅を有してもよい。
【００２８】
特に図２および４Ａに関して、その中に示された多方向伸縮性材料層６９は、パンツ１０の輪郭を持つ脚開口部２４、２６の両方を横切ってわたり、および画成する構造である。その点において、層６９の外側縁部は、着用者のそれぞれの脚に適合するように形づくられる。多方向伸縮性材料層６９は、疎水性材料であり、より効率的に着用者の脚に適合するように、複数の方向に伸縮性特徴を有する。着用者の脚のまわりのパンツ１０の適合のレベルが高いと、従来の使い捨て吸収製品で観察される液体漏出の量の予防または少なくとも減少が容易になる。これは、脚開口部が弾性のストランドの延長方向によって１方向にのみ伸びる、脚開口部にて、またはその近くに細い弾性のストランド有する従来の使い捨て吸収製品と対照をなす。
【００２９】
多方向伸縮性材料層６９は、予め伸ばした（すなわち、張った）状態でバックシート部分４８ａ、４８ｂなどのパンツ１０のその他の部分に固定される。そのためには、材料６９を、１つまたは複数の方向に伸ばして、その状態で、バックシート部分４８ａ、４８ｂに、および／またはバリア層５８に固定してもよい。多方向伸縮性材料層６９に適した例示的な材料は、バージニア州（米国）リッチモンドのＴｒｅｄｅｇａｒ  Ｃｏｒｐｏｒａｔｉｏｎから入手できる商品名Ｆｌｅｘａｉｒｅ（登録商標）４０２という名称で市販のトリルアミナートである。その他の適した材料は、適用された伸張力(stretching force)の方向に元の寸法の少なくとも約１５０％まで複数の方向に伸張することができ、かつ次いで適用された伸張力の方向に元の寸法の約１２０％以下の寸法に縮めることができるナイロンメッシュまたはその他の材料を含む。具体的態様において、多方向伸縮性材料層６９は、着用者にパンツ１０のアピールを増強し、パンツ１０に多方向伸縮性の特徴の存在のシグナルを着用者に提供するように、パンツ１０の残りとは異なる色を有して選択される。
【００３０】
以下の表１は、本明細書に記述した多方向伸縮性材料の層６９のために適することが見いだされた例示的なナイロンメッシュ材について、互いに直交する２方向における、力対伸張データを記載する。
【表１】
0006037348.tif 000002
【００３１】
上の表１が示すように、層６９のために適した例示的な多方向伸縮性材料は、約０．３６〜約０．３９Ｎの適用された伸張力下で１００％までいずれかの方向に伸張することができる。同様に、この例示的な材料は、約０．５３〜約０．５４Ｎの適用された伸張力下で１５０％までいずれかの方向に伸張することができ、および約０．６７〜約０．７０Ｎの適用された伸張力下で２００％まで伸張することができる。
【００３２】
図４Ｂは、前述の図のパンツ１０に大部分に関して類似する、パンツ９０の異なる態様を図示する。理解の容易さのために、図４Ｂにおける同様の参照番号は、前述の図における類似の特徴を指す。パンツ９０は、両方のバックシート部分４８ａ、４８ｂに、およびバリア層５８に固定され、かつ幅寸法に沿って横方に向互いに間隔を置いた２つの多方向伸縮性材料層６９ａ、６９ｂを含む。多方向伸縮性材料層６９ａは、輪郭を持つ脚開口部２４を画成し、一方で、その他の多方向伸縮性材料層６９ｂは、その他の輪郭を持つ脚開口部２６を画成する。この態様は、図４Ａの態様よりも多方向伸縮性ではない材料を使用するように構成されており、これは望ましいであろう。
【００３３】
ここで図４Ｃを参照する。この図は、図４Ａのパンツ１０に類似のパンツ１１０の態様を図示する。理解の容易さのために、図４Ｃにおける同様の参照番号は、その他の図における類似の特徴をいう。パンツ１１０は、パンツ１１０の全長にわたる単一の構造バックシート１４８を有する。これは、バックシート４８が２つの長手方向に間隔をあけたバックシート部分４８ａ、４８ｂで構成される図４Ａのパンツ１０と対照をなす。図４Ａの態様は、図４Ａの態様よりも短いバックシート材料を使用するように構成されており、これは望ましいであろう。
【００３４】
特に図２、４Ａ−４Ｃおよび５−７を参照し、パンツ１０、９０、１１０の吸収能力を最大にするように、および吸収性コア５０は、着用者によって分泌される液体、たとえば尿の漏出を予防し、または少なくとも減少させるようにデザインされる。より具体的には、吸収性コア５０は、中心部分１２０、それぞれの短軸１２２ａに沿って延在する一対の腕部１２２およびそれぞれの短軸１２４ａに沿って延在する一対の脚部１２４を有する対称形の構造である。一対の凹面のそれぞれ、吸収性コア５０の弓形外側縁部１３５は、図２において最も分かるように、それぞれ脚開口部２４、２６の一方に対応し、これらの外側縁部１３５のそれぞれは、縦軸１０ｙの一方の側の上に完全に位置し、かつ腕部１２２の一方と脚部１２４の一方との間に延在する。腕および脚部１２２、１２４のそれぞれの向きは、それぞれが中心部分１２０から横方向に、および長手方向に突出ようになる。その点に関して、それぞれの短軸１２２ａ、１２４ａのそれぞれは、角度を付けられ、すなわち、これは、パンツ１０、９０、１１０の縦軸１０ｙに関して鋭角または鈍角を画成する。図示された態様において、その上、脚部１２４は、パンツ１０、９０、１１０の正面のウエスト部分のすぐ近くに、すなわち使用時に着用者の正面のウエストに面することが意図されるパンツ１０、９０、１１０の領域にある。さらなるこの態様において、腕部１２２は、パンツ１０、９０、１１０の背面のウエスト部分のすぐ近くに、すなわち使用時に着用者の背面のウエストに面することが意図されるパンツ１０、９０、１１０の領域にある。
【００３５】
例示的な吸収性コア５０は、吸収性コア５０の残りから長手方向に突出し、かつ腕部１２２の間の幅寸法で中央に位置された末端部分１２６をさらに含む。特にこの態様において、末端部分１２６は、パンツ１０、９０、１１０の背面のウエスト部分のすぐ近くに位置し、これが着用者の背面のウエストを介した液体の漏出を予防する、または少なくとも減少させる。また、図示した態様は、末端部分１２６から長手方向に反対側に位置され、脚部１２４の間に延在し、且つ着用者に対して快適さを増し、かつ適合するように凹面、弓形末端の縁１３７を有する。示してないが、末端部分１２６に類似の、吸収性コア５０の残りから長手方向に延在するが、パンツ１０、９０、１１０の正面のウエスト部分に位置する、すなわち例示的な吸収性コア５０の凹末端の縁１３７の代わりに、もう一つの突出する末端部分を有するその他の態様が加えて、または代わりに想定される。これらの代わりの態様において、パンツ１０、９０、１１０の正面のウエスト部分に突出する末端部分（図示せず）は、着用者の正面のウエストを介した漏出の予防または減少を増し、これは特に男性着用者のために望ましいであろう。
【００３６】
続いて特に図２、４Ａ−４Ｃおよび５−７に関し、腕および脚部１２２、１２４は、脚開口部２４、２６に沿った吸収性コアの適用範囲を拡張し、これは着用者の脚に隣接する領域を介した着用者によって分泌される液体、たとえば尿の漏出を予防または少なくとも減少を増強する。また上で考察したように、パンツ１０、９０、１１０の多方向伸縮性層は、また漏出に対する保護を増強する。この点に関し、着用者の脚に対する多方向伸縮性層の適合のレベルが高いと、着用者の脚の表面に沿った液体の漏れを予防し、一方で、脚開口部２４、２６に隣接する吸収性コア５０の相対的に大きな適用範囲により、そうでなければ漏れる傾向があるだろう液体をパンツ１０、９０、１１０が吸収することができる。具体的態様において吸収性コア５０によって提供される大きな適用範囲は、開放状態であるパンツ１０、９０、１１０（図２および７）として測定すると、パンツ１０、９０、１１０の総表面領域に対する吸収性コアの表面領域の比が少なくとも約５０％である。一定の態様において、その比は、約５５％より大きい。
【００３７】
上記の記述は、パンツ１０、９０、１１０などの使い捨て吸収製品の部分を形成する吸収性コア５０に関するが、その中に記述された構造を、完全な使い捨て吸収製品よりもむしろ吸収性コアのみを製造するために使用することができることが想定される。より具体的には、使い捨て吸収製品と共に、または非使い捨て吸収製品（たとえば、下着またはブリーフ）と共にさえ使用されるように、ある場所において製造され、次いで別の製造場所に、または消費者に、吸収コアインサートの形態で供給されるコアインサートからなる態様が想定される。
【００３８】
ここで図８を参照し、この図は、開放おむつまたはブリーフ１５０の形態の使い捨て吸収製品のもう一つの例示的な態様を図示する。理解の容易さのために、図６と同様の参照番号は、前述の図における類似の特徴を指し、その詳細および記述は、おむつ１５０の構造および機能を理解するためにも同様に参照される。おむつ１５０において、その正面および背面部分は、接着剤またはフックおよびループタイプファスナー１５５などの固定部品を介して着用者上で互いに固定され、これは、バックシート４８の外部表面上に直接固定すること、またはあるいは、「着陸ゾーン」（図示せず）特徴に固定して、次いでバックシート４８に付着させることができる。おむつ１５０のその他の特徴は、図１−３、４Ａ−４Ｃおよび５の態様に関して上で記述した種々の特徴の大部分に関して類似する。
【００３９】
本発明の例示的な態様は、非限定的な様式において、以下の通りに記述される：
１．  長手方向寸法および幅寸法に沿って延在する使い捨て吸収製品であって、吸収製品は：
バックシート；
前記バックシートを覆うトップシート；
吸収製品の着用者によって分泌される液体を吸収し、および保持するための前記バックシートと前記トップシートの間に配置された吸収性コア；および
前記バックシートに隣接し、かつ吸収製品の着用者の第１の脚の回りに適合するように適応された吸収製品の第１の輪郭を持つ脚開口部を画成する第１の多方向伸縮性材料層。
２．  さらに以下を含む、請求項１の使い捨て可能な吸収製品：
前記バックシートに隣接し、かつ吸収製品の着用者の第２の脚の回りに適合するように適応された吸収製品の第２の輪郭を持つ脚開口部を画成する第２の多方向伸縮性材料層。
３．  前記第１の多方向伸縮性材料層が吸収製品の着用者の第２の脚の回りに適合するように適応された吸収製品の第２の輪郭を持つ脚開口部をさらに画成する、請求項１の使い捨て可能な吸収製品。
４．  前記バックシートが吸収製品の長手方向寸法に互いに間隔を置いて配置された２つのバックシート部分を含み、前記第１の多方向伸縮性材料層が前記２枚のバックシート部分の間に長手方向にわたる、請求項１−３のいずれか一項に記載の使い捨て可能な吸収製品。
５．  さらに以下を含む、請求項１−４のいずれか一項に記載使い捨て可能な吸収製品：
吸収製品のそれぞれの長手方向末端に配置され、且つ吸収製品の着用者のウエストの周りに適合するように適応された第１および第２の弾性のバンド。
６．  前記バックシートが第１および第２の長手方向末端を有し、それぞれが前記第１および第２の弾性のバンドを囲い込むようにそれ自体に折り畳まれる、請求項５の使い捨て可能な吸収製品。
７．  さらに以下を含む、請求項１−６のいずれか一項に記載使い捨て可能な吸収製品：
前記吸収性コアと前記バックシートの間に配置され、且つ前記吸収性コアから前記第１の多方向伸縮性材料層への液体の流れを防止するように適応されたバリア層。
８．  前記バリア層に固定され、かつ前記吸収性コアの長さより短い長さを有する、吸収製品の幅寸法に互いに間隔を置いて配置された一対の弾性のストランドからさらになる、請求項７の使い捨て可能な吸収製品。
９．  前記弾性のストランドが前記第１の多方向伸縮性材料層と接触しない、請求項７の使い捨て可能な吸収製品。
１０．  前記トップシートが吸収製品の全長よりも長手方向に短い、請求項１−９のいずれか一項に記載使い捨て可能な吸収製品。
１１．  吸収製品の周囲長が前記第１の輪郭を持つ脚開口部、記第１の輪郭を持つ脚開口部と反対の第２の輪郭を持つ脚開口部、一対対の長手方向末端、並びに前記第１および第２の輪郭を持つ脚開口部と前記長手方向末端との間の横縁を含み、および
前記横縁の対に適合することは、互いに不可欠であり、これによりパンツタイプの使い捨て吸収製品を画成する、
請求項１−１０のいずれか一項に記載使い捨て可能な吸収製品。
１２．  前記吸収性コアが一対の腕部および一対の脚を含み、前記腕および脚部が前記吸収性コアの中心部分から横方向に突出する、請求項１−１１のいずれか一項に記載使い捨て可能な吸収製品。
１３．  前記吸収性コアが前記腕および脚部の対の中間に位置し、かつ前記吸収性コアの残りから長手方向に突出する末端部分を含む、請求項１２の使い捨て可能な吸収製品。
１４．  吸収製品が使用時に着用者の正面に面するように適応された正面ウエスト部分および使用時に着用者の背面に面するように適応された背面ウエスト部分を含み、前記吸収性コアの前記脚部は、前記正面ウエスト部分に位置し、および前記吸収性コアの前記末端部分は、前記背面ウエスト部分に位置する、請求項１３の使い捨て可能な吸収製品。
１５．  前記脚部のそれぞれが短軸に沿って延在し、前記短軸のそれぞれが前記吸収性コアの縦軸に関して曲げられている、請求項１２−１４のいずれか一項に記載使い捨て可能な吸収製品。
１６．  前記トップシートおよびバックシートは、使用の間に着用者の体に面するように適応された前記使い捨て吸収製品の内部表面および使用の間に着用者から外方へ向くように適応されたその外部表面を共になって画成し、
前記内部表面は、総表面領域を有し、および、
前記吸収性コアは、前記総表面領域の約５０％以上の表面領域を占める、
請求項１−１５のいずれか一項に記載使い捨て可能な吸収製品。
１７．  吸収製品の着用者によって分泌される液体を管理するために適応される使い捨て吸収製品を製造する方法であって；
第１および第２の基体層を提供するステップ；
第１および第２の基体層を互いに関して覆い、これにより着用者の体に面するように適応された吸収製品の内部表面および着用者の体から外方へ向くように適応された吸収製品の外部表面を画成するステップ；
吸収製品の着用者によって分泌される液体を吸収し、および保持するための第１および第２の基体層の間にコアを配置するステップ；および、
第１の多方向伸縮性材料層を第２の基体層に関して固定し、これにより吸収製品の着用者の第１の脚の回りに適合するように適応された吸収製品の第１の輪郭を持つ脚開口部を画成するステップ、
を含む方法。
１８．  さらに第１の多方向伸縮性材料関係物を第２の基体層に固定するステップが、吸収製品の着用者の第２の脚の回りに適合するように適応された吸収製品の第２の輪郭を持つ脚開口部を画成する、請求項１７の方法。
１９．  さらに以下を含む、請求項１７の方法：
第２の多方向伸縮性材料層を第２の基体層に関して固定し、これにより吸収製品の着用者の第２の脚の回りに適合するように適応された吸収製品の第２の輪郭を持つ脚開口部を画成するステップ。
２０．  第２の基体層に関して第１の多方向伸縮性材料層を固定するステップは、第１の多方向伸縮性材料層と第２の基体層とを互いに粘着して結合するステップを含む、請求項１７−１９のいずれか一項に記載方法。
２１．  第１および第２の基体層は、使用の間に着用者の体に面するように適応された前記使い捨て吸収製品の内部表面および使用の間に着用者から外方へ向くように適応されたその外部表面を共になって画成し、内部表面は、総表面領域を有し、さらに以下を含む、請求項１７−２０のいずれか一項に記載方法：
第１および第２の基体層の間に配置されたときに吸収性コアが内部表面の総表面領域の約５０％以上の表面領域を占めるように吸収性コアを形成するステップ。
２２．  さらに以下を含む、請求項１７−２１のいずれか一項に記載方法：
弾性のストランドが第１の多方向伸縮性材料と接触しないままであるように、一対の弾性のストランドを第１または第２の基体層に貼るステップ。
【００４０】
また、さらに他の態様が、上記の通りの請求項１〜１６のいずれかに記載の使い捨て吸収製品を作製するための使用および方法について想定される。
【００４１】
本発明の一般的な原則および例示的な態様の前述の詳細な説明の上記の開示から、当業者は、本発明が受けやすい種々の修飾を容易に包含するだろう。したがって、本発明は、以下の請求項およびその均等物の範囲のみによって制限されることが意図される。
【符号の説明】
【００４２】
１０    使い捨てパンツ
１０ａ    内部
１０ｂ    外部
１０ｃ    ウエスト開口部
１０ｄ    脚開口部
１０ｘ    直交軸
１０ｙ    縦軸
１２、１４    長手方向末端
１６、１８、２０、２２    横縁
２４    脚開口部
３０    側部継目
【図１】
0006037348.tif 000003
【図２】
0006037348.tif 000004
【図３】
0006037348.tif 000005
【図４Ａ】
0006037348.tif 000006
【図４Ｂ】
0006037348.tif 000007
【図４Ｃ】
0006037348.tif 000008
【図５】
0006037348.tif 000009
【図６】
0006037348.tif 000010
【図７】
0006037348.tif 000011
【図８】
0006037348.tif 000012